(57)【特許請求の範囲】
【請求項１】
互いに案内され、はめ込み式に延ばすことが可能な複数の梯子部分（１０、１２、１４、１６、１８、２０）を有し、各梯子部分が２つの底部のブーム（２６、２８、３０、３２、３４、３６）と、後者を接続した複数の段部（３８、４０、４２、４４、４６、４８）と、２つの頂部のブーム（２２）と、底部のブームと頂部のブームとの間の両側の斜めの支柱（２４）とを有し、底部のブーム（２６、２８、３０、３２、３４、３６）が、２つの別個に作られ、内部結合され、そして自己保有された中空の巻かれた外郭（５６、５８）を有し、中空の巻かれた外郭（５６、５８）の外郭断面は、斜めに延びた補強ウェブ（７０、７２、９８）が一体に結合された底部のブームの内部に設けられるように形成されていることを特徴とする消防隊用梯子装置。
【請求項２】
第１の中空の巻かれた外郭（５６）は、外方へ傾斜して向けられ中空の外郭に形成された側方のウェブ（６０、６２）を持った通常Ｕ字状の断面であって、それらの外側と内側の材料の層がＵ字状の底面（８２）を越えて接続されていて、第２の中空の巻かれた外郭（５８）は、２つの実質的にボックス状の外郭ゾーン（８８、９０）を有し、Ｕ字状の第１の中空の巻かれた外郭（５６）の側方のウェブ（６０、６２）の上端部に設けられてそれを支持するための第１の外郭ゾーン（８８）は、対応する支持面（９６、１００）を有し、第２の外郭ゾーン（９０）は、つぎに高い梯子部分のための案内細片として、梯子との関係において第１のゾーンの内方の面（１０２）の上端部に配置されていて、壁部の材料が、互いに折り重ねらた材料の複数の細片を介して第１のゾーン（８８）の壁部の材料と一体になっていることを特徴とする請求項１記載の消防隊用梯子装置。
【請求項３】
第１のゾーン（８８）と第２のゾーン（９０）との間の遷移の際、壁部の材料は、２重層外郭細片（１０９、１１１）を形成するために頂部と底部とから強化されていて、外郭細片（１０９、１１１）が、第２のゾーン（９０）を第１のゾーン（８８）に固定して取着するようにフック状の方法で次々に係合していることを特徴とする請求項２記載の消防隊用梯子装置。
【請求項４】
梯子との関係において、第１の中空の巻かれた外郭（５６）の内方のウェブ（６０）は、段部（３８、４０、４２、４４、４６、４８）を直接収容するための垂直な内方の面（６４）と、第２の中空の巻かれた外郭用の接続面としての水平な上方の面（１００）を有していて、内方の面（６４）と上方の面（１００）とは、２つの実質的な斜めの面（６８、７０）を介して接続されていることを特徴とする請求項１記載の消防隊用梯子装置。
【請求項５】
内方のウェブ（６０）が、外方のウェブ（６２）よりも高いことを特徴とする請求項１ないし４いずれか１項記載の消防隊用梯子装置。
【請求項６】
第１の中空の巻かれた外郭（５６）の外方のウェブ（６２）が、梯子との関係において、時計方向に向かって、斜め上方へまた外方へ向けられた内方の面と、第２の中空の巻かれた外郭（５８）への接続のための水平な上方の面（７４）と、垂直に下方へ向けられた外方の面（７６）と、斜めに下方へまた内方へ向けられた斜めの面（７８）と、水平の底面（８０）とを有していることを特徴とする請求項１ないし５いずれか１項記載の消防隊用梯子装置。
【請求項７】
第２の中空の巻かれた外郭（５８）の支持面（９６、１００）が、ウェブ（６０、６１）の異なった高さに従って設けられていて、斜めの面（９８）によって接続されていることを特徴とする請求項１ないし６いずれか１項記載の消防隊用梯子装置。
【請求項８】
２つの中空の巻かれた外郭（５６、５８）が、レーザ技術を用いて溶接されていることを特徴とする請求項１ないし７いずれか１項記載の消防隊用梯子装置。
【請求項９】
第２の中空の巻かれた外郭（５８）の第２のゾーン（９０）が、第１のゾーンに面した側を除いて、特にステンレススチールによって実質的にＵ字状のカバー用外郭（１１６）によって覆われていることを特徴とする請求項１ないし８いずれか１項記載の消防隊用梯子装置。
【請求項１０】
第２の中空の巻かれた外郭（５８）の第２のゾーン（９０）が、カバー用外郭によって覆われた互いに向き合った側（１０６、１０８）に設けられ、カバー用外郭（１１６）の突出した端部ビード（１１８、１２０）が係合しているギザギザしたビード（１１２、１１４）を有していることを特徴とする請求項９記載の消防隊用梯子装置。
【請求項１１】
摺動案内部（１２２）が、第１の梯子部分（１０）に続いて梯子部分（１２、１４、１６、１８、２０）の低い方の端部に取着されていて、摺動案内部が、次の外方の梯子部分のカバー用外郭（１１６）の近傍において第２の中空の巻かれた外郭（５８）の第２のゾーン（９０）を包んでいることを特徴とする請求項１ないし１０いずれか１項記載の消防隊用梯子装置。
【請求項１２】
摺動案内部（１２２）が、特に鋳鋼で形成され、各対応した係合を解かれた底部のブーム（２８、３０、３２、３４、３６）の後端部に溶接された枠（１２４）に保持されていることを特徴とする請求項１１記載の消防隊用梯子装置。
【請求項１３】
頂部梯子部分（２０）を含む梯子部分（１０、１２、１４、１６、１８）が、その上端部に、つぎに高い梯子部分の第１の中空の巻かれた外郭（５６）の基底面（８２）と向き合って設けられたローラ案内部（８４）を有していることを特徴とする請求項１ないし１２いずれか１項記載の消防隊用梯子装置。
【請求項１４】
頂部梯子部分（２０）を含む梯子部分（１０、１２、１４、１６、１８）が、その上端部に、第１の中空の巻かれた外郭（５６）の垂直の外方の面（７６）と向き合って設けられたローラ案内部（８６）を有していることを特徴とする請求項１ないし１３いずれか１項記載の消防隊用梯子装置。
【請求項１５】
段部（３８、４０、４２、４４、４６、４８）が、底部のブームの第１の中空の巻かれた外郭の垂直の内方の面（６４）に突き合わせ溶接されていることを特徴とする請求項１ないし１４いずれか１項記載の消防隊用梯子装置。
【請求項１６】
底部のブーム（２６、２８、３０、３２、３４、３６）が、高強度冷間圧延細片で構成されていることを特徴とする請求項１ないし１５いずれか１項記載の消防隊用梯子装置。
【請求項１７】
梯子部分（１０、１２、１４、１６、１８、２０）の中空の巻かれた外郭（５６、５８）は、底部から頂部に向かって寸法が増大するような断面で互いに対応して形成されていることを特徴とする請求項１ないし１６いずれか１項記載の消防隊用梯子装置。
【請求項１８】
梯子部分（１０、１２、１４、１６、１８、２０）の列における２つの連続した梯子部分において、中空の巻かれた外郭の１つが類似の寸法であり、１つが異なった寸法であることを特徴とする請求項１７記載の消防隊用梯子装置。
【発明の詳細な説明】
【０００１】
【発明の属する技術分野】
本発明は、互いに案内され、はめ込み式に延ばすことができる複数の梯子部分を有し、各梯子部分が２つの底部のブームと、後者を接続した複数の段部と、２つの頂部のブームと、底部のブームと頂部のブームとの間の両側の斜めの面とを有する消防隊用梯子装置に関する。
【０００２】
【従来の技術】
延ばすことができるこのタイプの梯子装置は、それらが、特に高いビルディングにおいてかなりの高さで操作の可能性があるので、火災や緊急保護のために長い間使用されてきた。各梯子部分は、一般に、同様のＵ字状断面であるが、しかし、ある梯子部分から次の梯子部分に寸法が減少し、そして、段部によって接続された２つの底部のブームと、一般に斜めに設けられた支柱を介して底部のブームに接続された２つの頂部のブームとを有している。このタイプの公知の消防隊用梯子は、例えば、出願人のドイツ特許３６  ２５  ２９８または４２  ０６  ４４８  ｃ２に示されている。公知の構造は、なかんずく、一般に空所部分として形成されたブームと、ローラと摺動案内部との配置と、各ブーム、段部および支柱の間の接続のタイプとに関して異なっている。
【０００３】
【発明が解決しようとする課題】
近年もたらされてきた沢山の利点にも拘わらず、重量に対する強度の比率と製造コストは、以前から不満足であった。各梯子部分の相互の案内部は不正確である。梯子は、塗装、保守、および注油に高い労働コストを要する。
【０００４】
【課題を解決するための手段】
従って、本発明は、最初に述べたようなタイプの梯子装置を案出することを目的としていて、それは、製造コストが比較的低いのにも拘わらず、比較的軽い重量で高い強度を有している。
【０００５】
最初に述べたようなタイプの梯子装置において、この目的は、底部のブームが別個に製造され、相互に接続され、そして自己保有された中空の巻かれた外郭を有し、中空の巻かれた外郭の外郭断面が、斜めに延びた補強ウェブが一体に接続された底部のブームの内部に設けられるように形成されることによって達成される。
【０００６】
近代的な冷間圧延装置が、各応用のために直接冷間圧延によって、仕上げ加工を必要としないで、最適化できる複雑な外郭断面でさえも製造することを可能にする。消防隊用梯子の底部のブーム用の適切な外郭が、一般に簡単なボックス状の断面であるので、本発明は、各部分的なゾーンが、各負荷に従ったサイズに特別に切断された外郭を提供する可能性を提案する。例えば、面の２重化または付加的な補強の実施により特定の圧力負荷容量を持ったゾーンを製造することが、斜めに配置された面によって達成されることが可能である。底部のブームの外郭が２つの中空の巻かれた部分を組み立てなければならないという製造技術に関する欠点は、ここで得られる利点によって補償される。２つの中空の巻かれた部分の使用は、また、異なった壁厚の底部のブーム外郭の各ゾーンを製造する可能性を提供する。これは、軽い構造のための一般的要求を満足する。底部のブームの多様なかさばったボックス構造は固いので、好ましくない上述の構造は、段部の突き合わせ溶接と斜めの支柱を遂行することが可能である。
【０００７】
好ましくは、第１の中空の巻かれた外郭は、梯子との関係で、外方へ傾斜して向けられ中空の外郭に形成された側方のウェブを持った一般にＵ字状の断面であって、それらの外側と内側の材料の層がＵ字状の基底面を越えて接続されていて、第２の中空の巻かれた外郭は、２つの実質的にボックス状の外郭ゾーンを有し、Ｕ字状の第１の中空の巻かれた外郭の側方のウェブの上端部に設けられてそれを支持するための第１の外郭ゾーンは、対応する支持面を有し、第２の外郭ゾーンは、梯子との関係において第１のゾーンの内方の面の上端部に配置されていて、壁部の材料が、互いに何回か折り重ねらた材料の複数の細片を介して第１のゾーンの壁部の材料と一体になっている。
【０００８】
２つの中空の巻かれた外郭の断面形状の複雑さから見て、添付した図面を参照して引き続いて説明する。外郭は、ローラ加工によって完全に製造される。この工程において２つの中空の巻かれた外郭の合成構造において、底部に位置している第１の中空の巻かれた外郭は、一方において高硬度に設計されているが、しかし、他方において同様に引き続いて説明するガイドローラ用の水平の、または垂直の作動面を提供するためにもまた意図されている。好ましくは、ほぼ方形の断面の第２の中空の巻かれた外郭の第２の領域は、つぎに高い梯子部分の摺動案内部用の案内細片を形成する。第２の中空の巻かれた外郭の第２の領域は、摺動案内部を介して実質的に上方へ向けられた力を受けやすい。従って、第２の中空の巻かれた外郭の２つの領域は、それらの遷移点において、フック形状の断面の外郭端部により、形成ロック方法によって一体に結合されているので、第２の領域は、第１のゾーンにおいて上方への変形に対して支えられているが、これは、以下において、実施例の１つとして説明される。
【０００９】
各梯子部分は、それらの直立した位置を参照して説明する。いわゆる直立したキャリッジに設けられた第１のすなわち外方の梯子部分は、下方の梯子部分として示されていて、また、対向する内方のそして最終の梯子部分は、上方の梯子部分として示されている。中空の巻かれた外郭の説明において、用語「上方の」および「下方の」は、同様に、比較的大きくまたは比較的小さく直立した梯子に関して用いられる。用語「内方の」および「外方の」は、梯子に立っている監視者の観点から使用され、別の方法では規定されない。
【００１０】
梯子との関係において、第１の中空の巻かれた外郭の内方のウェブは、段部を直接収容するための垂直な内方の面と、第２の中空の巻かれた外郭用の接続面としての水平な上方の面を有していて、内方の面と上方の面とは、２つの実質的に斜めの面を介して接続されている。従って、段部にとって垂直の内方の面に直接突き合わせ溶接されることが可能である。適切な梯子においては、付加的な接続用当て金または角度部材が一般に要求される。
【００１１】
第１の中空の巻かれた外郭の外方のウェブが、梯子との関係において、時計方向に向かって、斜め上方へまた外方へ向けられた内方の面と、第２の中空の巻かれた外郭への接続のための水平な上方の面と、垂直に下方へ向けられた外方の面と、斜めに下方へまた内方へ向けられた斜めの面と、水平の基底面とを有している。垂直の外方の面はガイドローラの作動面として役立つ。同様に、２つの重ね合わされた材料の層から形成された第１の中空の巻かれた外郭のＵ状部分の水平の基底面は、ガイドローラの作動面として役立つ。この面は、時々非常に高い垂直力を調節しなければならないが、材料の層の２重化は、特に利点があることが発見された。
【００１２】
好ましくは、第２の中空の巻かれた外郭の第２のゾーンが、第１のゾーンに面した側を除いて、特にステンレススチールによって実質的にＵ字状のカバー用外郭によって覆われている。以下に説明されるプラスチックの摺動案内部と共に、このカバー用外郭は、注油の補償を可能にする。クリーニングと維持のためのコストはそれ故かなり減少される。さらに、カバーは、塗装、プラスチックコーティングまたは亜鉛メッキによって完全な表面保護を可能にする。カバーによる保護なしでこのタイプの長期的な保護を達成することは、高い表面圧力のために不可能である。
【００１３】
好ましくは、第２の中空の巻かれた外郭の第２のゾーンは、カバー用外郭の内方へ突出した端部ビードが係合する段の付いたビードを持ち、カバー用外郭によって覆われた互いに対向する側に設けられている。さらに、カバー用外郭が、ウェブを断面の両側に結合する予めの負荷を幾らか有しているので、カバー用外郭は、第２の中空の巻かれた外郭に把持することができる。それ故、それ以上の固定部は必要でない。
【００１４】
上述の摺動案内部は、好ましくは、下方の梯子部分に続く梯子部分の下方の端部に設けられている。この摺動案内部は、このように形成されているので、それは、カバー用外郭を、各次の下方の梯子部分において第２の中空の巻かれた外郭の第２のゾーンに包み込む。摺動案内部は、特に鋳鋼から成り、各対応する底部のブームの後端部に溶接された枠に保持できる。
【００１５】
これらの摺動案内部に加えて、最後のまたは頂部梯子部分を含む梯子部分が、その上端部に、つぎに高い梯子部分のＵ状の断面の第１の中空の巻かれた外郭の基底面と向き合って設けられたローラ案内部を有している。
【００１６】
さらに、これらの梯子部分は、垂直の軸を持ったローラを有していて、これらは、第１の中空の巻かれた外郭の外方のウェブに垂直な外面に向き合って設けられている。
【００１７】
既に述べたように、段部は、好ましくは、第１の中空の巻かれた外郭の垂直の内方の面に突き合わせ溶接されている。
【００１８】
合理的な製造のために、類似しているがサイズを調整した部分的に同一の中空の巻かれた外郭で、部分的に中空の巻かれた外郭の個別の梯子部分が使用される。
【００１９】
段階を減らすために、下方から上方の梯子部分への底部のブームの断面において、一般に、各段階において２つの中空の巻かれた外郭の内、１つのみを比較的小さいものと置き換えることで十分であるので、中空の巻かれた外郭の１つが２つの連続的な梯子部分のために使用できる。この場合、図面に示した実施例からも明らかなように、６つの異なった外郭が必要である。例えば、互いにはめ込み式に摺動でき、段階において断面が減少する５つの梯子部分である。段階における各中空の巻かれた外郭の寸法の変更の代わりに、または、付加的に、材料の壁厚を変更することもまた可能である。
【００２０】
梯子部分の上端部のガイドローラは、ブームの高い表面圧力の結果となる実質的な力を調節しなければならない。従って、比較的大きい梯子の場合において、一般に４つのローラが両側に使用される。共働する作動面とローラの均一な負荷のために、ガイドローラは、通例、作動ギヤに、時として下方の作動ギヤに設けられている。このことは、製造コストが高くなりかさばる構成となる。本発明によれば、下方の作動ギヤは完全に省略できる。４つの全てのローラが、設置された作動ギヤにのみ次々に設けられている。この作動ギヤにおいて、４つのローラ組立の外側の２つのガイドローラの軸は、内側の２つのガイドローラよりもわずかに高く設けられていて、それは、細帯の変形によって予想される最大の負荷が起きた場合、４つのローラの作動面が実質的に１つの面に位置されることによって成される。従って、負荷は、４つのローラ全てに均一に貢献する。適切な弾性材料を使用した場合、側方の細帯は、構造と寸法を正確にでき、従って、上述の所望の変形が起きる。このことは、構造上の簡素化と製造コストのかなりの減少を招来させる。さらに、４つのローラと２つの下方の回転ギヤの組み合わせを持った本発明による支持装置が、通常の支持装置よりもかなり短いという本質的な利点が招来する。従って、本発明によるローラ案内部は、２つの連続的な梯子の段部の好きな位置に挿入できる。
【００２１】
２つの中空の巻かれた外郭から成る本発明の底部のブームは、なかんずく、高強度という利点を有する。これは、底部のブームが、従来のように、多少ボックス状の中空部として構成されているのみでなく、斜めの内方の支柱を有していること、さらに異なった表面の配置が、考慮すべき各存在する負荷の多くの観点から設計できるという事実に基づく。それ故、高い程度の強度は、高価な大量の材料によって決して得られない。重量に対する強度の極めて適切な割合が達成される。
【００２２】
【発明の実施の形態】
本発明の実施例の好ましい例を、添付した図面を参照して以下に述べる。
【００２３】
図１に示された本発明の梯子装置を通った部分的断面図は、同様な第１から第６までの梯子部分としてまた参照符号１０、１２、１４、１６、１８、２０を付されて、底部上方からまたは外部内方から示されていて、互いにはめ込み式に案内されている６つの梯子部分を有している。図１は、断面のみを示していることが明らかである。左側半分は、右側半分と対称的であり、それ故、例示も説明も必要としない。各梯子部分１０から２０は、その断面積が第１から第６の梯子部分に徐々に減少する頂部のブーム２２を有している。同様に、隣接して示された底部のブームに対してレール状の支柱の方法で、頂部のブーム２２を支える斜めの支柱２４の寸法にも同様に適用される。
【００２４】
各梯子部分１０から２０は、断面と形状は類似しているが詳細は異なっいて、斜めの支柱２４が接続されている底部のブーム２６、２８、３０、３２、３４、３６を有している。梯子部分の両側には、底部のブームが水平の段部３８、４０、４２、４４、４６、４８によって接続されている。３つの比較的低い梯子部分１０、１２、１４の段部３８、４０、４２は、細長いチューブ５０、５２、５４によって互いに接続されているので、効果的な段部の幅は両側において短縮され、段部の強固さが増大する。
【００２５】
図１と２とを参照して、第４の梯子部分１６の底部のブーム３２の例を取り上げると、底部のブームの構造は次のようになっている。底部のブーム３２は、ユニットを形成するように互いにしっかりと結合された第１の中空の巻かれた外郭５６と第２の中空の巻かれた外郭５８とから組み立てられている。第１の中空の巻かれた外郭５６の断面形状は、Ｕ字状のように、極めてルーズに示されている。Ｕ字状の２つのウェブ６０、６２は、この場合、図１と２において右側に傾斜した中空室のように形成されている。左側すなわち内側のウェブ６０は、段部４４が突き合わせ溶接された垂直な内方の面と、水平な上方の面６６、および２つの面６４と６６との端部を接続するほぼ平行な斜めの面６８、７０を有している。右側のウェブ６２は、垂直に上昇している内方の面７２と、時計方向に続いた水平な頂部の上方の面７４と、垂直に下方へ向けられた外方の面７６と、底から斜めに内方かつ下方へ向けられた斜めの面７８、および水平な低い頂面８０とを有している。
【００２６】
図１と２から明らかなように、第１の中空の巻かれた外郭５６の内方のウェブ６０の上方の面６６は、外方のウェブ６２の水平な上方の面７４よりも実質的に高く位置されている。
【００２７】
二重層の基底面８２は、２つのウェブの壁材料が、Ｕ字状の部分内で基底面８２まで下方へ引かれるので、ここで述べた第１の中空の巻かれた外郭のＵ字状の部分の底部の近傍に創出される。基底面の近傍における材料層の二重化は、この基底面８２が次の低い梯子部分１４に設けられたローラ案内部８４のための可動面を形成するので、全く計画的なものである。垂直な回転軸線を持った他のローラ案内部８６は、中空の巻かれた外郭５６の垂直な上方の面７６に支持されている。
【００２８】
第２の中空の巻かれた外郭５８を以下に述べる。この第２の中空の巻かれた外郭５８は、２つの実質的にボックス状のゾーン８８と９０とを有している。第１のゾーンが第１の中空の巻かれた外郭５６に接続されているのに対し、第２のゾーンは、以下により詳細に述べるように、次に高い梯子部分用の案内細片として役立つ。図２の実施例によれば、第２の中空の巻かれた外郭５８の第１のゾーン８８は、第１に、斜めの支柱２４が付き合わせ溶接された水平な上方の面９２を有している。
【００２９】
この水平な上方の面９２からスタートして、時計方向に向かって、垂直な外方の面９４と、下方へ傾斜し内方へ向かった斜めの面９６と、内方へ傾斜しているが上方へ向かった斜めの面９０と、水平面１００と、およびわずかに外方ヘ向けられた内方の面１０２が続いている。斜めの面９６と水平面１００とは、第１の中空の巻かれた外郭の２つのウェブ６０、６２の上方の面６６と７４に支持するのに役立つ。図２に示された実施例において、２つの中空の巻かれた外郭５６、５８の間の接触面は比較的小さい。図１は、比較的大きな負荷を受け易い外方の底部のブーム２６、２８、３０において、２つの中空の巻かれた外郭間の表面接触がより拡張性があることを示している。２つの中空の巻かれた外郭はレーザ技術を利用して溶接されているのが好都合である。
【００３０】
第１の中空の巻かれた外郭５６の内方のウェブ６０が、実質的に外方のウェブ６２よりも高いけれども、第２の中空の巻かれた外郭５８の斜めの面９８は、斜めに、主要な支持部材と案内面および底部のブームの主要な力の方向へ延在している。
【００３１】
第２の中空の巻かれた外郭の第２のゾーン９０は、第１のゾーン８８と完全に分離された空所部を形成している。第２のゾーン９０の断面は、矩形すなわちほぼ正方形である。これは，梯子装置と、上方と下方の実質的な水平面１０６、１０８と、および、のゾーン９０が第１のゾーン８８と隣接する外方の面１１０との関係において、垂直な内方の面１０４を有している。第１のゾーン８８と第２のゾーン９０との間の遷移点において壁部の材料は両側に折り返される。下方に向けられたフック状の断面の外郭細片１０９は、それ故、第１と第２のゾーン８８、９０の水平面９２と１０６との間の遷移点に形成される。材料の添加によって形成された対応する上方へ向けられた外郭細片１１１が、第２のゾーン９０の低い方の水平面１０８と第１のゾーン８８の内方の面１０２との間の遷移点に形成される。上方へ向けられた外郭細片１１１が、下方へ向けられた外郭細片１０９の後方で係合しているので、第２のゾーン９０が、付加的に第１のゾーンでの上方へ向けられた力に抗して支えることが、特に図３から明らかである。案内細片として役立つ第２のゾーン９０のどのような変形もさらに阻止され、それ故、付加的な形状固定支持部として効果がある。
【００３２】
底部のブームの上述の構造は、第１の中空の巻かれた外郭５６と第２の中空の巻かれた外郭５８から、斜めに配置された隔壁が、閉成された外郭、すなわち斜めの面７０、７２および９８の内部に配置されることを確実にする。
【００３３】
段の付いたビード１１２、１１４が、上方と下方の面１０６、１０８に形成されている。これらのビードは、実質的にＵ字状の断面のカバー用外郭１１６を設けるのに役立ち、カバー用外郭１１６が第２の中空の巻かれた外郭の第２のゾーン９０に係合し、ビード１１２、１１４に形状ロック方法で設けられるようにすることを可能にする。それ以上の固定手段は必要ではない。たとえば、カバー用外郭１１６は、ステンレススチールで形成されている。これは、次に高い梯子部分用の案内細片として役立つ第２の中空の巻かれた外郭の第２のゾーン９０の面を保護するのに役立つ。
【００３４】
案内部は、 ゾーン９０をカバー用外郭１１６で外方から包むＵ字状の断面の ブロック形状の摺動案内部１２２によって行われる。摺動案内部は、ステンレススチールと共に低い摩擦係数を有する適切なプラスチック材料からなっているので、適切な潤滑油で実施することができる。摺動案内部１２２が、専有的にカバー用外郭１１６上を摺動するので、底部のブームの２つの中空の巻かれた外郭の面に対する損傷はまったく起きることがない。用いられたいかなる腐食保護も恒久的に維持され、継続的に更新する必要がない。従って維持用の費用は安い。
【００３５】
最も小さい内方の梯子部分１８の低い方のブーム３６は、簡単な外郭であり、特に大きな断面積に設計されそれ故高いねじれ強度と曲げ強度を持っている。一般に、現在のタイプの底部のブームの強度に関して２つの態様がある。すなわち、一方において、適応される曲げとひねりの負荷に関してその総計でのいわゆる底部のブームの全体的な硬さ、および、他方において、きちんと規定された領域内で適用される負荷との関連の局部的安定性である。内方の梯子部分の底部のブーム３６が、引き続く梯子部分の摺動案内部により及ぼされる上方へ向ける力によって負荷されていないので、他の底部のブームの比較的高価な内方の支柱は必要でない。しかしながら、内方の底部のブーム３６は、次に低い方の梯子部分のローラに対して支持する指定されていない底面での重ねあわせた層によって２重にされた材料で形成されている。さらに、内方の支柱によって支持された可動面が、底部のブームを実質的に比較的低い負荷にする横方向のガイドローラ用に設けられている。
【００３６】
図４は、摺動案内部１２２とローラ案内部８４、８６の配置の全体的な側面概略を示している。図４は、外方のすなわち低い方の梯子部分、たとえば図１の１４で示された部分に相当し、鎖線で示された第３の梯子部分、および、次に高くそれ故参照符号１６を付された梯子部分を示している。この梯子部分は、実線で示されている。図１に示されているのと同様、摺動案内部１２２は、上方のまたは内方の低い方の端部で底部のブームに取着されている。すでに詳細に述べたように、底部のブーム３２は、この領域において係合を解かれていて、摺動案内部１２２は、特に、鋳鋼で作られた装備１２４内に埋設されている。この摺動案内部１２２は、図１に示したように、第２の中空の巻かれた外郭５８の第２のゾーン９０に置き換え可能である。図１はまた、下方のローラ案内部８４と横方向のローラ案内部８６を示していて、これらは図４からも明らかなように、次に低い方の梯子部分１２の前端部に設けられている。２つのローラ案内部と摺動案内部１２２とは、各梯子部分に実質的に遊びがない接続を達成することを可能にする。
【００３７】
下方のローラ案内部８４を、図５と６に示した好ましい実施例を参照して以下に述べる。
【００３８】
各ガイドローラ１２６、１２８、１３０、１３２の強い力とそれによる高い負荷によってこれらのローラは、普通、摺動ギヤに留められるので、普通の力は自動的に不均一に分配される。図５による従来のローラ案内部８４において、回転ギヤの軸１３８の周りに回転可能な２つの側方の細帯１３４、１３６が設けられている。細帯１３４、１３６の領域において、さらに摺動ギヤ軸１４０、１４２が設けられていて、その周りに２つの低い方の回転ギヤの組み合わせ１４４、１４６が回転できる。これらの回転ギヤの組み合わせ１４４、１４６は、各２つのガイドローラを支持している。すなわち、一方においてガイドローラ１２６、１２８であり、他方においてガイドローラ１３０、１３２である。このタイプの構造において、全てのガイドローラは、協働する可動面と普通の負荷の幾何学によってそれら自身で自動的に調整する。しかしながら、製造コストは、比較的高く、完全なローラ案内部はかさばる。
【００３９】
しかしながら、図６に示され、また参照符号８４を付された本発明によるローラ案内部においては、回転ギヤの軸１５２によって接続されまた後者の周りに軸支できる２つの側方の細帯１４８、１５０のみが設けられている。互いに前後して設けられているガイドローラ１２６、１２８、１３０、１３２の各対は、この回転ギヤの軸１５２の両側に配置されている。図６において中心線と矢印とで示されているように、２つの外方のガイドローラ１２６、１３２の回転軸１５４、１５６は、２つの内方のガイドローラ１２８、１３０の回転軸１５８、１６０よりもわずかに高く配置されている。上述の記載と図１および２とから、特に梯子部分に設けられたローラが引き続く梯子部分を各内方へ下方から支持することが明らかである。
【００４０】
従って、低い負荷においては、２つの外方のローラのみが負荷を支持し、これらは、支持された底部のブームのいかなる局部的な過負荷をも避けるように、十分な距離離れている。もし、負荷が増加すると、側方の細帯１４８、１５０は、外側のローラ１２６、１３２を介して与えられる下方へ向けられた力と、回転ギヤの軸１５２を介して調整された下方へ向けられた力とによって曲げられ、最終的には、４つのローラ全てが梯子外郭に対してそれが支持されるように保持する。この場合、側方の細帯１４８、１５０は、特に上述の曲げとの関係において設計され計算されている。これらは、所望の変形との関係において適切な弾性計数を有した材料から成る。最大負荷において、４つのローラ全ては、このようにして不均一に負荷が掛かる。
【００４１】
【発明の効果】
このように、ローラ案内部は、２つの低い方の回転ギヤの組み合わせを持った図５によるローラ案内部よりも総合的に短い構造にすることができ、ローラ案内部を梯子部分の連続した２つの段部の間のスペースに挿入することが可能である。
【００４２】
さらに、これらの回動軸と一緒の２つの低い方の回転ギヤの組み合わせを省略することができるので、組立コストをかなり低くすることができる。
【図面の簡単な説明】
【図１】６つの梯子部分を有する梯子装置を通った縮小概略断面図。
【図２】底部のブームとその周りの部分的拡大断面図。
【図３】図２による底部のブームの上部部分領域の分解断面図。
【図４】２つの梯子装置の概略図。
【図５】従来の４つのガイドローラを持ったローラ案内部の斜視図。
【図６】本発明のローラ案内部を示す斜視図。
【符号の説明】
１０、１２、１４、１６、１８、２０……梯子部分
２２……頂部のブーム
２４……支柱
２６、２８、３０、３２、３４、３６……底部のブーム
３８、４０、４２、４４、４６、４８……段部
５６、５８……中空の巻かれた外郭
６０、６２、７０、７２、９８……ウェブ
８８……第１のゾーン
９０……第２のゾーン
９６、１００……支持面
１０２……内方の面
【図１】
0004011751.tif 000002
【図２】
0004011751.tif 000003
【図３】
0004011751.tif 000004
【図４】
0004011751.tif 000005
【図５】
0004011751.tif 000006
【図６】
0004011751.tif 000007